(57)【要約】      （修正有）【課題】プラグとソケットを係合した状態において、ベルトが緩められるのを防止することができるバックルを提供する。【解決手段】プラグ２０と、プラグ２０が挿入され、プラグ２０と係合するソケット３０と、を備え、プラグ２０は、ベルト状部材Ｂが取り付けられるプラグ側ベルト装着部２１を有し、プラグ２０とソケット３０を係合した状態において、プラグ２０とソケット３０との間にベルト状部材Ｂが挟み込まれる。【選択図】図４
0003210289.tif 000002
【実用新案登録請求の範囲】
【請求項１】
プラグ（２０，１２０，２２０）と、
前記プラグ（２０，１２０，２２０）が挿入され、前記プラグ（２０，１２０，２２０）と係合するソケット（３０，１３０，２３０）と、を備え、
前記プラグ（２０，１２０，２２０）は、ベルト状部材（Ｂ）が取り付けられるプラグ側ベルト装着部（２１，１２１，２２１）を有し、
前記プラグ（２０，１２０，２２０）と前記ソケット（３０，１３０，２３０）を係合した状態において、前記プラグ（２０，１２０，２２０）と前記ソケット（３０，１３０，２３０）との間に前記ベルト状部材（Ｂ）が挟み込まれることを特徴とするバックル（１０，１００，２００）。
【請求項２】
前記プラグ側ベルト装着部（２１，１２１，２２１）は、ベルト巻付杆（２１ｃ，１２１ｃ，２２１ｃ）及びベルト係止杆（２１ｄ，１２１ｄ，２２１ｄ）を有し、
前記ソケット（３０，１３０，２３０）は、上板（３２，１３２，２３２）及び下板（３３，１３３，２３３）と、前記上板（３２，１３２，２３２）及び前記下板（３３，１３３，２３３）を上下に連結する側板（３４，１３４，２３４）と、を有し、
前記プラグ（２０，１２０，２２０）と前記ソケット（３０，１３０，２３０）を係合した状態において、前記プラグ（２０，１２０，２２０）の前記ベルト巻付杆（２１ｃ，１２１ｃ，２２１ｃ）と前記ソケット（３０，１３０，２３０）の前記下板（３３，１３３，２３３）との間に前記ベルト状部材（Ｂ）が挟み込まれることを特徴とする請求項１に記載のバックル（１０，１００，２００）。
【請求項３】
前記プラグ（２０，１２０，２２０）の前記ベルト巻付杆（２１ｃ，１２１ｃ，２２１ｃ）及び前記ソケット（３０，１３０，２３０）の前記下板（３３，１３３，２３３）の少なくとも一方に、凸部（２１ｈ，１２１ｈ，２２１ｈ）又は凹部（３３ａ，１３５ａ，２３５ａ）がベルト幅方向に複数形成されることを特徴とする請求項２に記載のバックル（１０，１００，２００）。
【請求項４】
前記ソケット（３０）の前記下板（３３）に、長孔（４８）がベルト幅方向に沿って形成されることを特徴とする請求項２又は３に記載のバックル（１０）。
【請求項５】
前記ソケット（３０，１３０，２３０）は、前記ベルト状部材（Ｂ）が取り付けられるソケット側ベルト装着部（３１，１３１，２３１）を有することを特徴とする請求項１〜４のいずれか１項に記載のバックル（１０，１００，２００）。
【考案の詳細な説明】
【技術分野】
【０００１】
本発明は、バックルに関し、より詳細には、互いに係脱可能なプラグ及びソケットを備え、ベルト状部材の端部同士を連結・分離するバックルに関する。
【背景技術】
【０００２】
従来のバックルとしては、プラグと、プラグが挿入され、プラグと係合するソケットと、を備え、プラグは、ベルトが取り付けられるプラグ側ベルト装着部を有し、ソケットは、ベルトが取り付けられるソケット側ベルト装着部を有し、プラグ側ベルト装着部が、ベルト巻付杆及びベルト係止杆を有するものが知られている（例えば、特許文献１参照）。
【先行技術文献】
【特許文献】
【０００３】
【特許文献１】日本国実公平７−４６１６６号公報
【考案の概要】
【考案が解決しようとする課題】
【０００４】
しかしながら、特許文献１に記載のバックルでは、プラグとソケットを係合した状態において、ベルトを緩めることが可能であった。なお、ベルト係止杆にベルト挿通方向に沿った溝がベルト幅方向に複数形成されるバックルがあるが、この複数の溝はベルトの幅方向のずれを防止するためのものであり、ベルトが緩められるのを防止するためのものではない。【０００５】
本発明は、前述した事情に鑑みてなされたものであり、その目的は、プラグとソケットを係合した状態において、ベルトが緩められるのを防止することができるバックルを提供することにある。
【課題を解決するための手段】
【０００６】
本発明の上記目的は、下記の構成により達成される。
（１）プラグと、プラグが挿入され、プラグと係合するソケットと、を備え、プラグは、ベルト状部材が取り付けられるプラグ側ベルト装着部を有し、プラグとソケットを係合した状態において、プラグとソケットとの間にベルト状部材が挟み込まれることを特徴とするバックル。
（２）プラグ側ベルト装着部は、ベルト巻付杆及びベルト係止杆を有し、ソケットは、上板及び下板と、上板及び下板を上下に連結する側板と、を有し、プラグとソケットを係合した状態において、プラグのベルト巻付杆とソケットの下板との間にベルト状部材が挟み込まれることを特徴とする（１）に記載のバックル。
（３）プラグのベルト巻付杆及びソケットの下板の少なくとも一方に、凸部又は凹部がベルト幅方向に複数形成されることを特徴とする（２）に記載のバックル。
（４）ソケットの下板に、長孔がベルト幅方向に沿って形成されることを特徴とする（２）又は（３）に記載のバックル。
（５）ソケットは、ベルト状部材が取り付けられるソケット側ベルト装着部を有することを特徴とする（１）〜（４）のいずれか１つに記載のバックル。
【考案の効果】
【０００７】
プラグとソケットを係合した状態において、プラグとソケットとの間にベルト状部材が挟み込まれるため、プラグとソケットを係合した状態において、ベルトが緩められるのを防止することができる。
【図面の簡単な説明】
【０００８】
【図１】本発明に係るバックルの一実施形態の非係合状態を説明する斜視図である。
【図２】非係合状態のバックルの上面図である。
【図３】図２のＡ−Ａ線断面図である。
【図４】係合状態のバックルの一部切欠上面図である。
【図５】係合状態のバックルの下面図である。
【図６】図４のＢ−Ｂ線断面図である。
【図７】図１に示すキーの正面図である。
【図８】図７に示すキーの側面図である。
【図９】ロック解除時のキー操作に伴いキーの押圧部により弾性係合片が下方に押圧された状態を説明する要部上面図である。
【図１０】図９の状態における要部側面図である。
【図１１】ロック解除時のキー操作に伴い係合凸部から係合凹部が外れた後の状態を説明する要部上面図である。
【図１２】図１１の状態における要部側面図である。
【図１３】本発明に係るバックルの一実施形態の第１変形例を説明する斜視図である。
【図１４】図１３のバックルの下面図である。
【図１５】本発明に係るバックルの一実施形態の第２変形例を説明する斜視図である。
【図１６】図１５のバックルの下面図である。
【考案を実施するための形態】
【０００９】
以下、本発明に係るバックルの一実施形態について、図面に基づいて詳細に説明する。なお、以後の説明において、バックルに関しては、上側とは、図２の紙面に対して手前側、下側とは、図２の紙面に対して奥側、右側とは、図２の紙面に対して右側、左側とは、図２の紙面に対して左側とする。また、バックルの左右方向は幅方向とも言う。また、プラグに関しては、前側とはソケット側、後側とは反ソケット側とする。また、ソケットに関しては、前側とはプラグ側、後側とは反プラグ側とする。
【００１０】
本実施形態のバックル１０は、ロック機構を有したセンターリリースタイプのバックルであって、図１及び図２に示すように、プラグ２０と、プラグ２０が挿入され、プラグ２０と係合するソケット３０と、ソケット３０に差し込まれるキー５０と、を備える。そして、プラグ２０及びソケット３０は、合成樹脂の射出成形により形成されている。また、プラグ２０及びソケット３０は、合成樹脂製に限定されず金属製であってもよい。
【００１１】
プラグ２０は、図２〜図６に示すように、ベルト（ベルト状部材）Ｂが取り付けられるプラグ側ベルト装着部２１と、プラグ側ベルト装着部２１の幅方向両端部から互いに平行に延び、ソケット３０に挿入される左右一対の挿入片２２と、左右の挿入片２２間から延び、ソケット３０に挿入される弾性係合片２３と、を有する。また、左右の挿入片２２と弾性係合片２３との間にはスリット２４がそれぞれ形成されている。
【００１２】
プラグ側ベルト装着部２１は、幅方向に延びる基部２１ａと、基部２１ａの幅方向両端部から互いに平行に延びる左右一対の側部２１ｂと、左右の側部２１ｂを幅方向に連結するベルト巻付杆２１ｃ及びベルト係止杆２１ｄと、を有する。そして、基部２１ａとベルト巻付杆２１ｃとの間にベルトＢを挿通させる第１開口部２１ｅが形成され、ベルト巻付杆２１ｃとベルト係止杆２１ｄとの間にベルトＢを挿通させる第２開口部２１ｆが形成されている。また、左右の側部２１ｂの下面には、肉抜き部２１ｇがそれぞれ形成されている。
【００１３】
また、挿入片２２の下面には、プラグ挿入方向に沿う溝部２２ａが形成されており、この溝部２２ａは、ソケット３０の後述する突条３９と係合するようになっている。これにより、プラグ２０がソケット３０に上下逆に挿入されることが防止されている。
【００１４】
また、弾性係合片２３の上面には、上面視略矩形状の係合凹部２５が形成されており、この係合凹部２５は、ソケット３０の後述する係合凸部４０と係合するようになっている。
【００１５】
また、弾性係合片２３の先端部２３ａは、先端に向かって下り傾斜するように形成されている。これにより、ソケット３０の後述する係合凸部４０が弾性係合片２３の係合凹部２５に入り込み易くなっている。
【００１６】
また、弾性係合片２３の先端部２３ａの上面には、キー５０の後述する押圧部５５により下方且つプラグ抜き出し方向に押圧される扇状に窪んだ被押圧面２６が形成されている。この被押圧面２６は、弾性係合片２３の先端縁から連続するように形成されている。また、被押圧面２６は、下り傾斜する弾性係合片２３の先端部２３ａに平行に形成されているため、先端部２３ａと同様に下り傾斜となっている。
【００１７】
ソケット３０は、図２〜図６に示すように、ベルトＢが取り付けられるソケット側ベルト装着部３１と、ソケット側ベルト装着部３１から互いに延びる上板３２及び下板３３と、上板３２及び下板３３を上下に連結する左右一対の側板３４と、を有する。そして、上板３２、下板３３、及び左右の側板３４の前縁によりプラグ挿入口３５が形成されている。
【００１８】
また、左右の側板３４間には、上板３２及び下板３３を上下に連結する左右一対のガイド壁３６がプラグ挿抜方向と平行に形成されている。この左右のガイド壁３６は、プラグ挿入時にプラグ２０の左右のスリット２４にそれぞれ入り込み、プラグ２０の挿入をガイドする。また、ガイド壁３６とそれに対して幅方向に対向する側板３４との間の空間は、プラグ２０の挿入片２２を収容する挿入片収容部３７を構成する。また、左右のガイド壁３６間の空間は、プラグ２０の弾性係合片２３を収容する係合片収容部３８を構成する。
【００１９】
また、左右の挿入片収容部３７内における下板３３の上面には、プラグ２０の挿入片２２の溝部２２ａと係合する突条３９がそれぞれ形成されている。
【００２０】
ソケット側ベルト装着部３１は、幅方向に延びる基部３１ａと、基部３１ａの幅方向両端部から互いに平行に延びる左右一対の側部３１ｂと、左右の側部３１ｂを幅方向に連結するベルト巻付杆３１ｃと、を有する。そして、基部３１ａとベルト巻付杆３１ｃとの間にベルトＢを挿通させる開口部３１ｄが形成されている。また、基部３１ａ及び左右の側部３１ｂの下面には、左右一対の肉抜き部３１ｅが形成されている。
【００２１】
また、係合片収容部３８内における上板３２の下面には、プラグ２０の係合凹部２５と係合する上面視略矩形状の係合凸部４０が下方に突出して形成されている。
【００２２】
また、上板３２の幅方向中央且つソケット側ベルト装着部３１との境界付近には、キー５０が差し込まれるキー穴４１が上下方向に貫通して形成されている。キー穴４１は、丸穴部４１ａと、丸穴部４１ａの径方向両側に対称に配置される角穴部４１ｂと、を有する。ここで、本実施形態のバックル１０では、キー操作を行うこと以外には、プラグ２０とソケット３０の係合を解除することはできない。このため、ソケット３０の上板３２には、キー穴４１以外は開口しておらず、係合状態にあるプラグ２０の弾性係合片２３を外部から押圧可能な開口などは形成されていない。
【００２３】
また、ソケット３０には、左右の挿入片収容部３７及び係合片収容部３８とソケット側ベルト装着部３１の左右の肉抜き部３１ｅとを隔てる隔壁４２が幅方向に沿って形成されている。
【００２４】
キー５０は、図７及び図８に示すように、略リング状の掴み部５１と、掴み部５１から径方向外側に延びる差込部５２と、差込部５２の基部近傍に形成され、差込部５２をキー穴４１に差し込んだ際に上板３１に当接する鍔部５３と、を有する。
【００２５】
差込部５２は、キー穴４１の丸穴部４１ａに差し込まれる円柱状の軸部５４と、軸部５４の外周面から径方向両側に延び、キー穴４１の角穴部４１ｂに差し込まれる一対の押圧部５５と、を有する。なお、本実施形態では、キー穴４１に差し込まれたキー５０を、時計回りに回転させることにより係合凹部２５と係合凸部４０の係合が解除されるように設定されている。
【００２６】
一対の押圧部５５は、軸部５４を中心として点対称な形状に形成されている。そして、押圧部５５は、直方体形状であり、その周方向一方面（図８の左側面）には、軸部５４の先端に向かうに従って押圧部５５が先細りとなる方向に傾斜する第１傾斜面５５ａが形成されている。また、押圧部５５の径方向外端面には、軸部５４の先端に向かうに従って押圧部５５が先細りとなる方向に傾斜する第２傾斜面５５ｂが形成されている。
【００２７】
また、第１及び第２傾斜面５５ａ，５５ｂは連続して形成されている。第１傾斜面５５ａは、弾性係合片２３の被押圧面２６を下方に押圧して、係合凹部２５と係合凸部４０の係合を解除する（図９、図１０参照）。第２傾斜面５５ｂは、弾性係合片２３の被押圧面２６をプラグ抜き出し方向に押圧して、係合凸部４０との係合が解除されたプラグ２０をプラグ抜き出し方向に移動する（図１１、図１２参照）。
【００２８】
また、図４に示すように、ソケット３０内においてキー穴４１の一対の角穴部４１ｂに対応する位置に、キー５０の一対の押圧部５５と当接してキー５０の逆回転を規制する一対の逆回転規制部４３ａ，４３ｂが形成されている。一方の逆回転規制部４３ａは、右側のガイド壁３６の内側面に突出するように形成され、他方の逆回転規制部４３ｂは、左側のガイド壁３６の後端部近傍において隔壁４２の一部として形成されている。そして、この一対の逆回転規制部４３ａ，４３ｂにより、キー穴４１に差し込まれたキー５０の反時計回りの回転が防止される。
【００２９】
また、図４に示すように、ソケット３０内においてキー穴４１の周辺に、キー５０の一対の押圧部５５と当接してキー５０の正回転を規制する一対の正回転規制部４４ａ，４４ｂが形成されている。一方の正回転規制部４４ａは、上記一方の逆回転規制部４３ａの先端部であり、他方の正回転規制部４４ｂは、上記他方の逆回転規制部４３ｂに連続して隔壁４２の一部として形成されている。また、一対の正回転規制部４４ａ，４４ｂは、キー穴４１に差し込まれたキー５０を時計回りに９０°回転させた位置で停止する位置に形成されている。
【００３０】
また、図４に示すように、上記一方の逆回転規制部４３ａと上記他方の正回転規制部４４ｂとの間には、キー５０を時計回りの回転させる際における押圧部５５の回転を許容する半円形状の押圧部収容空間４５が形成されている。そして、この押圧部収容空間４５は、隔壁４２の一部により形成されている。
【００３１】
また、図４に示すように、上記一方の逆回転規制部４３ａの前面は、プラグ２０をソケット３０に挿入させる際に弾性係合片２３の先端を当接させる当接面４６を構成している。さらに、図４に示すように、左側のガイド壁３６の後端部の内側面には、同じく弾性係合片２３の先端を当接させる当接部４７が突出して形成されている。
【００３２】
ここで、上記一方の逆回転規制部４３ａは、上記したように、キー５０の逆回転を規制する機能、キー５０の正回転を規制する機能、及び弾性係合片２３を当接させる機能を有するため、一方の逆回転規制部４３ａには、高い強度が要求される。従って、本実施形態では、弾性係合片２３の先端部２３ａに傾斜縁部２３ｂを形成して、一方の逆回転規制部４３ａの前後方向の板厚を増加させてその強度を高めている。また、図２及び図４に示すように、弾性係合片２３の先端部２３ａには、キー穴４１に差し込まれたキー５０の軸部５４の外周面の一部を収容する円弧部２３ｃが形成されている。
【００３３】
また、キー穴４１は、一方の逆回転規制部４３ａと当接部４７との間の空間を介して係合片収容部３８に連通している。そして、プラグ２０がソケット３０に挿入された状態において、弾性係合片２３の被押圧面２６は、キー５０の一方の押圧部５５の回転軌跡上に配置される。このため、キー５０を時計回りに９０°回転させることにより、押圧部５５の第１及び第２傾斜面５５ａ，５５ｂが弾性係合片２３の被押圧面２６を押圧して、係合凹部２５と係合凸部４０の係合が解除され、プラグ２０がプラグ抜き出し方向に移動される（図９〜図１２参照）
【００３４】
そして、本実施形態のバックル１０では、図２〜図６に示すように、ソケット３０の上板３２の前端縁に、プラグ側ベルト装着部２１の基部２１ａを収容する収容凹部３２ａが形成されている。これにより、ソケット３０の下板３３の前端縁をプラグ側ベルト装着部２１のベルト巻付杆２１ｃに接近させることが可能となる。このため、図６に示すように、プラグ２０とソケット３０を係合した状態において、プラグ側ベルト装着部２１のベルト巻付杆２１ｃとソケット３０の下板３３の前端縁との間にベルトＢが挟み込まれるので、ベルトＢが緩められるのを防止することができる。
【００３５】
また、本実施形態では、図４及び図５に示すように、ソケット３０の下板３３の前端縁に凹部３３ａがベルト幅方向に４個形成されると共に、プラグ側ベルト装着部２１のベルト巻付杆２１ｃの前端縁に凸部２１ｈがベルト幅方向に４個形成されている。このため、ベルト巻付杆２１ｃと下板３３の前端縁との間にベルトＢが挟み込まれた際に、凸部２１ｈ及び凹部３３ａがベルトＢに食い込むので、ベルトＢが緩められるのを更に防止することができる。また、４個の凹部３３ａと４個の凸部２１ｈは、互いに対向する位置に形成されている。
【００３６】
また、本実施形態では、図５に示すように、ソケット３０の下板３３の前縁部の近傍に、長孔４８がベルト幅方向に沿って形成されている。これにより、下板３３の前縁部と長穴４８との間の部分がスプリングのように機能する。このため、ベルト巻付杆２１ｃと下板３３の前端縁との間にベルトＢが挟み込まれた際に、ベルトＢに圧縮力が加わるので、ベルトＢが緩められるのを更に防止することができる。
【００３７】
以上説明したように、本実施形態のバックル１０によれば、プラグ２０とソケット３０を係合した状態において、プラグ２０のベルト巻付杆２１ｃとソケット３０の下板３３との間にベルトＢが挟み込まれるため、プラグ２０とソケット３０を係合した状態において、ベルトＢが緩められるのを防止することができる。
【００３８】
また、本実施形態のバックル１０によれば、プラグ２０のベルト巻付杆２１ｃに凸部２１ｈがベルト幅方向に複数形成され、ソケット３０の下板３３の前端縁に凹部３３ａがベルト幅方向に複数形成されるため、ベルト巻付杆２１ｃと下板３３の前端縁との間にベルトＢが挟み込まれた際に、凸部２１ｈ及び凹部３３ａがベルトＢに食い込むので、ベルトＢが緩められるのを更に防止することができる。
【００３９】
また、本実施形態のバックル１０によれば、ソケット３０の下板３３に、長孔４８がベルト幅方向に沿って形成されるため、下板３３の前縁部と長穴４８との間の部分がスプリングのように機能する。このため、ベルト巻付杆２１ｃと下板３３の前端縁との間にベルトＢが挟み込まれた際に、ベルトＢに圧縮力が加わるので、ベルトＢが緩められるのを更に防止することができる。
【００４０】
次に、本実施形態の第１変形例として、図１３に示すサイドリリースタイプのバックル１００に本発明を適用してもよい。
【００４１】
このバックル１００は、図１３及び図１４に示すように、プラグ１２０とソケット１３０を備え、ソケット１３０の両側面に露出するプラグ１２０の左右一対の係合片１２２を幅方向内側に押し込むことにより、プラグ１２０とソケット１３０の係合が解除されるように構成されている。
【００４２】
プラグ１２０は、ベルトＢが取り付けられるプラグ側ベルト装着部１２１を有する。このプラグ側ベルト装着部１２１は、幅方向に延びる基部１２１ａと、基部１２１ａの幅方向両端部から互いに平行に延びる左右一対の側部１２１ｂと、左右の側部１２１ｂを幅方向に連結するベルト巻付杆１２１ｃ及びベルト係止杆１２１ｄと、を有する。そして、基部１２１ａとベルト巻付杆１２１ｃとの間にベルトＢを挿通させる第１開口部１２１ｅが形成され、ベルト巻付杆１２１ｃとベルト係止杆１２１ｄとの間にベルトＢを挿通させる第２開口部１２１ｆが形成されている。
【００４３】
ソケット１３０は、ベルトＢが取り付けられるソケット側ベルト装着部１３１と、ソケット側ベルト装着部１３１から互いに延びる上板１３２及び下板１３３と、上板１３２及び下板１３３を上下に連結する左右一対の側板１３４と、を有する。
【００４４】
ソケット側ベルト装着部１３１は、幅方向に延びる基部１３１ａと、基部１３１ａの幅方向両端部から互いに平行に延びる左右一対の側部１３１ｂと、左右の側部１３１ｂを幅方向に連結するベルト巻付杆１３１ｃと、を有する。そして、基部１３１ａとベルト巻付杆１３１ｃとの間にベルトＢを挿通させる開口部１３１ｄが形成されている。
【００４５】
また、図１４に示すように、ソケット１３０の下板１３２は、プラグ１２０側に延びる延長板１３５を有する。このため、プラグ１２０とソケット１３０を係合した状態において、プラグ側ベルト装着部１２１のベルト巻付杆１２１ｃとソケット１３０の延長板１３５の前端縁との間にベルトＢが挟み込まれるので、ベルトＢが緩められるのを防止することができる。
【００４６】
また、本実施形態では、図１４に示すように、ソケット１３０の延長板１３５の前端縁に凹部１３５ａがベルト幅方向に６個形成されると共に、プラグ側ベルト装着部１２１のベルト巻付杆１２１ｃの前端縁に凸部１２１ｈがベルト幅方向に６個形成されている。このため、ベルト巻付杆１２１ｃと延長板１３５の前端縁との間にベルトＢが挟み込まれた際に、凸部１２１ｈ及び凹部１３５ａがベルトＢに食い込むので、ベルトＢが緩められるのを更に防止することができる。また、６個の凹部１３５ａと６個の凸部１２１ｈは、互いに対向する位置に形成されている。
【００４７】
次に、本実施形態の第２変形例として、図１５に示すフロントリリースタイプのバックル２００に本発明を適用してもよい。
【００４８】
このバックル２００は、図１５及び図１６に示すように、プラグ２２０とソケット２３０を備え、ソケット２３０の上板２３２に形成される開口２３２ａを介してプラグ２２０の操作板２２２を内側に押し込むことにより、プラグ２２０とソケット２３０の係合が解除されるように構成されている。
【００４９】
プラグ２２０は、ベルトＢが取り付けられるプラグ側ベルト装着部２２１を有する。このプラグ側ベルト装着部２２１は、幅方向に延びる基部２２１ａと、基部２２１ａの幅方向両端部から互いに平行に延びる左右一対の側部２２１ｂと、左右の側部２２１ｂを幅方向に連結するベルト巻付杆２２１ｃ及びベルト係止杆２２１ｄと、を有する。そして、基部２２１ａとベルト巻付杆２２１ｃとの間にベルトＢを挿通させる第１開口部２２１ｅが形成され、ベルト巻付杆２２１ｃとベルト係止杆２２１ｄとの間にベルトＢを挿通させる第２開口部２２１ｆが形成されている。
【００５０】
ソケット２３０は、ベルトＢが取り付けられるソケット側ベルト装着部２３１と、ソケット側ベルト装着部２３１から互いに延びる上板２３２及び下板２３３と、上板２３２及び下板２３３を上下に連結する左右一対の側板２３４と、を有する。
【００５１】
ソケット側ベルト装着部２３１は、幅方向に延びる基部２３１ａと、基部２３１ａの幅方向両端部から互いに平行に延びる左右一対の側部２３１ｂと、左右の側部２３１ｂを幅方向に連結するベルト巻付杆２３１ｃと、を有する。そして、基部２３１ａとベルト巻付杆２３１ｃとの間にベルトＢを挿通させる開口部２３１ｄが形成されている。
【００５２】
また、図１６に示すように、ソケット２３０の下板２３２は、プラグ２２０側に延びる延長板２３５を有する。このため、プラグ２２０とソケット２３０を係合した状態において、プラグ側ベルト装着部２２１のベルト巻付杆２２１ｃとソケット２３０の延長板２３５の前端縁との間にベルトＢが挟み込まれるので、ベルトＢが緩められるのを防止することができる。
【００５３】
また、本実施形態では、図１６に示すように、ソケット２３０の延長板２３５の前端縁に凹部２３５ａがベルト幅方向に６個形成されると共に、プラグ側ベルト装着部２２１のベルト巻付杆２２１ｃの前端縁に凸部２２１ｈがベルト幅方向に６個形成されている。このため、ベルト巻付杆２２１ｃと延長板２３５の前端縁との間にベルトＢが挟み込まれた際に、凸部２２１ｈ及び凹部２３５ａがベルトＢに食い込むので、ベルトＢが緩められるのを更に防止することができる。また、６個の凹部２３５ａと６個の凸部２２１ｈは、互いに対向する位置に形成されている。
【００５４】
なお、本発明は上記実施形態に例示したものに限定されるものではなく、本発明の要旨を逸脱しない範囲において適宜変更可能である。
例えば、本実施形態では、ソケットの下板に複数の凹部が形成され、プラグのベルト巻付杆に複数の凸部が形成されているが、これに限定されず、ソケットの下板に複数の凸部が形成され、プラグのベルト巻付杆に複数の凹部が形成されていてもよい。また、ソケットの下板のみに複数の凸部又は複数の凹部が形成されていてもよい。また、プラグのベルト巻付杆のみに複数の凸部又は複数の凹部が形成されていてもよい。また、ソケットの下板及びプラグのベルト巻付杆の両方に複数の凸部が形成されていてもよい。また、ソケットの下板及びプラグのベルト巻付杆の両方に複数の凹部が形成されていてもよい。即ち、ソケットのベルトと接触する部材及びプラグのベルトと接触する部材の少なくとも一方に凹凸部が形成されていればよい。また、凸部及び凹部の数は任意である。
【符号の説明】
【００５５】
１０，１００，２００  バックル
２０，１２０，２２０  プラグ
２１，１２１，２２１  プラグ側ベルト装着部
２１ａ，１２１ａ，２２１ａ  基部
２１ｂ，１２１ｂ，２２１ｂ  側部
２１ｃ，１２１ｃ，２２１ｃ  ベルト巻付杆
２１ｄ，１２１ｄ，２２１ｄ  ベルト係止杆
２１ｈ，１２１ｈ，２２１ｈ  凸部
２２  左右一対の挿入片
２３  弾性係合片
２５  係合凹部
２６  被押圧面
３０，１３０，２３０  ソケット
３１，１３１，２３１  ソケット側ベルト装着部
３２，１３２，２３２  上板
３３，１３３，２３３  下板
３３ａ  凹部
３４，１３４，２３４  側板
４０  係合凸部
４１  キー穴
４８  長穴
５０  キー
１３５，２３５  延長板
１３５ａ，２３５ａ  凹部
Ｂ  ベルト（ベルト状部材）
【図１】
0003210289.tif 000003
【図２】
0003210289.tif 000004
【図３】
0003210289.tif 000005
【図４】
0003210289.tif 000006
【図５】
0003210289.tif 000007
【図６】
0003210289.tif 000008
【図７】
0003210289.tif 000009
【図８】
0003210289.tif 000010
【図９】
0003210289.tif 000011
【図１０】
0003210289.tif 000012
【図１１】
0003210289.tif 000013
【図１２】
0003210289.tif 000014
【図１３】
0003210289.tif 000015
【図１４】
0003210289.tif 000016
【図１５】
0003210289.tif 000017
【図１６】
0003210289.tif 000018